(57)【要約】      （修正有）【課題】両手が自由になる手鏡を提供する。【解決手段】手鏡の柄と前記柄から下方向に伸縮管等に因り伸長させた伸脚からなる２支点を、椅子等に着席している使用者の両脚で挟持して固定し、手鏡の柄と前記柄から上方向に伸縮管等に因り使用者の顔の位置まで伸長させた台座にノブ付ボルトに因りネジ嵌合させる鏡体を有し、鏡面を目の前にして伸長した軸方向に０度から後方８０度まで傾倒可能となり、ノブ付ボルトに因り任意の角度で係止可能にする。【選択図】図１
0003161150.tif 000002
【実用新案登録請求の範囲】
【請求項１】
手鏡の柄と前記柄から下方向に伸縮管等に因り伸長可能な伸脚並びに前記柄から上方向に伸縮管等に因り伸長可能な台座にノブ付ボルトに因りネジ嵌合させる構造で鏡体を有する、手鏡の柄と伸脚を両脚で挟持して固定する事で両手が自由になる手鏡。
【請求項２】
手鏡の柄と伸脚には手で把持した場合、又は両脚で挟持した場合にすべり落ちないように表面又は本体にすべり止め加工をしてある請求項１の手鏡。
【請求項３】
鏡体と台座の傾倒角度は鏡面を目の前にして伸長した軸方向に０度から後方８０度まで傾倒可能となり、ノブ付ボルトに因り任意の角度で係止可能な請求項１の手鏡。
【請求項４】
手鏡の柄と伸脚並びに台座を縮小時には柄係止爪と台座係止孔並びに、柄係止爪と伸脚係止孔に因り各々が収納され台座並びに伸脚芯が不用意の回動しない請求項１の手鏡。
【考案の詳細な説明】
【技術分野】
【０００１】
本考案は手鏡に関するものであり、詳しくは手鏡の使用者自身の両脚で挟持することに因り手鏡が固定されて両手が自由になる手鏡に関するものである。
【背景技術】
【０００２】
男女を問わず、化粧や身だしなみを整えたり、コンタクトレンズを着脱する等の目的で鏡が利用されている。又、女性の場合は化粧直し等の目的でも鏡の使用頻度は多い。
【０００３】
特に女性は、外出時に手鏡や鏡付きの化粧用具又は、鏡付きの化粧品等を携行している。
【０００４】
手鏡等を使用する時は、使用者は手鏡等を使用者自身の手で持ち使用することになるが、この時、使用者の左右いずれかの手は手鏡等を持っている為に、もう一方の手しか自由にならない。
【０００５】
前記した技術的背景から当該課題解決の為に既に先行技術が考案されている。（特許文献１参照）
【０００６】
特許文献１では手鏡本体にゴムベルトを装着し、前記ゴムベルトに親指以外の指を通して手鏡本体を手に固定する事に因り、手鏡を固定した手の５本の指と他方の手の５本の指を自由にすることで両手が使える手鏡を実現している。
【０００７】
特許文献１の考案の効果として、手鏡を手に装着することで両手の全ての指が使用可能になり、手鏡を目の至近距離に近づけて、目元、口元の化粧直しや視力の弱い人がコンタクトレンズの具合を調整する場合等に効果を発揮している。
【０００８】
【特許文献１】実用新案登録第３１１３７４４号公報
【考案の概要】
【考案が解決しようとする課題】
【０００９】
手鏡等を使用する時は、使用者は手鏡等を使用者自身の手で持ち使用することになるが、この時、使用者の左右いずれかの手は手鏡等を持っている為に、もう一方の手しか自由にならない。
【００１０】
手鏡等を使用する時に両手を使えるようにする場合は、壁等に立て掛ける等、使用者の都合よく手鏡を置いたり固定したりする事ができればよいが、それが出来ない場合、例えば公園や運動場等の野外に居る場合や乗り物等に乗っている場合、又室内でも手鏡等を置く等して固定する場所が無い場合等では手鏡等を使用しながら両手を使用することが難しい。
【００１１】
何らかの理由で使用者の左右いずれかの腕や手が故障している場合は、腕や手を動かせない又は、腕や手を動かす為の負担が大きい等の理由で手鏡の使用上の制限も多い。
【００１２】
前記した特許文献１の考案では、使用者の左右いずれかの手に手鏡を装着する為、例えば、両手を後頭部まで移動して髪を纏めたり、両手で整髪料等を使いながら髪を整えたりする場合等は、両手を移動する事で手に装着された鏡も一緒に移動されてしまい、鏡を見ながらの作業ができない。
【課題を解決するための手段】
【００１３】
手鏡の柄と前記柄から下方向に伸縮管等に因り伸長させた伸脚からなる２支点を、椅子等に着席している使用者の両脚で挟持して手鏡を固定する。
【００１４】
手鏡の柄と伸脚には手で把持した場合、又は両脚で挟持した場合にすべり落ちないように表面又は本体にすべり止め加工をする。
【００１５】
手鏡の柄と前記柄から上方向に伸縮管等に因り伸長させた台座にノブ付ボルトに因りネジ嵌合させる鏡体を有し、伸縮管等を伸長させる長さは使用者の顔の位置まで届くようにする。
【００１６】
鏡体と台座をノブ付ボルトに因りネジ嵌合させる構造で鏡面を目の前にして伸長した軸方向に０度から後方８０度まで傾倒可能となり、ノブ付ボルトに因り任意の角度で係止可能にする。
【００１７】
手鏡の柄と伸脚並びに鏡体を縮小時には係止爪と係止孔に因り係止され、不用意に回動しないようにする。
【考案の効果】
【００１８】
手鏡の柄と前記柄から下方向に伸縮管等に因り伸長させた伸脚からなる２支点を、椅子等に着席している使用者の両脚で挟持して手鏡を固定する事に因り使用者の両手が自由になる。
【００１９】
前記した効果に因り本考案は、手鏡の使用者が椅子等に着席できる空間があれば何処でも使用可能である。
【００２０】
前記した効果に因り本考案は、椅子等に着席している使用者の両脚で挟持して手鏡を固定する為、両手が完全に自由になる。因って両手を後頭部まで移動して髪を纏めたり、両手で整髪料等を使いながら髪を整えたりする事も実現可能となる。
【００２１】
手鏡の柄と前記柄から下方向に伸縮管等に因り伸長させた伸脚からなる２支点を挟持する為、手鏡がしっかりと固定される。
【００２２】
手鏡の柄と前記柄から下方向に伸縮管等に因り伸長させた伸脚からなる２支点を挟持する為、伸脚を基点として柄を挟持する脚の位置を変える事で角度調節が可能で、並びに鏡体は鏡面を目の前にして伸長した軸方向に０度から後方８０度まで傾倒可能となり、ノブ付ボルトに因り任意の角度で係止可能である為手鏡の使用者と向かい合う鏡面の至近距離の調整が可能である。
【００２３】
何らかの理由で使用者の左右いずれかの腕や手が故障している場合等でも、前記した効果に因り手鏡の使用上の制限が緩和される。
【考案を実施するための最良の形態】
【００２４】
以下に本考案を実施するための最良の形態の一例を図を元に説明する。
【００２５】
柄芯５の中に上向伸縮管９並びに下向伸縮管１０を嵌合し、柄芯５の表面を低反発発泡材、スポンジ材等からなる柄クッション体６で覆面する。
【００２６】
下向伸縮管１０の先端には伸脚芯７が接合され、伸脚芯７の表面に低反発発泡材、スポンジ材等からなる伸脚クッション体８で覆面する。
【００２７】
上向伸縮管９の先端には台座４が接合され、台座４にノブ付ボルト３に因りネジ嵌合させる鏡体２を有する。
【００２８】
鏡体２と台座４をノブ付ボルト３に因りネジ嵌合させる構造で鏡面を目の前にして伸長した軸方向に０度（図３）から後方８０度（図４）まで傾倒可能となり、ノブ付ボルト３に因り任意の角度で係止可能にする。
【００２９】
柄芯５には柄係止爪５１、柄係止爪５２、柄係止爪５３、柄係止爪５４を有し、伸脚芯７には伸脚係止孔７１、伸脚係止孔７２を有し、台座４には台座係止孔４１、台座係止孔４２を有する。
【００３０】
上向伸縮管９の縮小時は柄係止爪５１が台座係止孔４１に、並びに柄係止爪５２が台座係止孔４２に各々収納され、台座並びに鏡体が不用意に回動しないようにする。
【００３１】
下向伸縮管１０の縮小時は柄係止爪５３が伸脚係止孔７１に、並びに柄係止爪５４が伸脚係止孔７２に各々収納され、伸脚芯が不用意に回動しないようにする。
【実施例】
【００３２】
図５に本考案の使用者が椅子に着席した状態の使用の一例を示す。
【図面の簡単な説明】
【００３３】
【図１】本考案の断面図
【図２】本考案の縮小時の外観図
【図３】本考案で台座と鏡体の角度が０度位置の状態の図
【図４】本考案で台座と鏡体の角度が８０度位置の状態の図
【図５】本考案の使用者が椅子に着席した状態の使用の一例の図
【符号の説明】
【００３４】
１鏡面
２鏡体
３ノブ付ボルト
４台座
５柄芯
６柄クッション体
７伸脚芯
８伸脚クッション体
９上向伸縮管
１０下向伸縮管
４１台座係止孔４１
４２台座係止孔４２
５１柄係止爪５１
５２柄係止爪５２
５３柄係止爪５３
５４柄係止爪５４
７１伸脚係止孔７１
７２伸脚係止孔７２
【図１】
0003161150.tif 000003
【図２】
0003161150.tif 000004
【図３】
0003161150.tif 000005
【図４】
0003161150.tif 000006
【図５】
0003161150.tif 000007